(57)【要約】【課題】他端末の文字入力をユーザに気付かせることができる通信端末を提供する。【解決手段】所定の書き込み領域に手書き文字入力が検出された場合に当該文字入力が検出された文字座標群を取得する文字座標群取得部と、文字座標群に基づいて表示画面に手書き文字を表示する自端末文字表示部と、自端末で取得された文字座標群と対応する文字入力終了時刻とを他端末に送信し、他端末で取得された文字座標群と対応する文字入力終了時刻とを他端末から受信するデータ送受信部と、他端末から受信した文字座標群に基づいて表示画面にアラートを呈示し他端末から受信した文字入力終了時刻に基づいてアラートを消去するアラート呈示部と、手書き文字入力の中断時間の長さに基づいて文字入力終了時刻を検知する文字入力終了時刻検知部と、他端末から受信した文字座標群と対応する文字入力終了時刻に基づいて表示画面に手書き文字を表示する他端末文字表示部とを含む。【選択図】図１
2015026098.tif 000002
【特許請求の範囲】
【請求項１】
所定の書き込み領域に手書き文字入力が検出された場合に、当該文字入力が検出された前記書込み領域上の座標群である文字座標群を取得する文字座標群取得部と、
自端末で取得された文字座標群に基づいて表示画面に手書き文字を表示する自端末文字表示部と、
前記自端末で取得された文字座標群と当該文字座標群に対応する文字入力終了時刻とを他端末に送信し、前記他端末で取得された文字座標群と当該文字座標群に対応する前記文字入力終了時刻とを前記他端末から受信するデータ送受信部と、
前記他端末から受信した文字座標群に基づいて前記表示画面にアラートを呈示し、前記他端末から受信した文字入力終了時刻に基づいて前記アラートを消去するアラート呈示部と、
前記手書き文字入力の中断時間の長さに基づいて前記文字入力終了時刻を検知する文字入力終了時刻検知部と、
前記他端末から受信した文字座標群と、当該文字座標群に対応する文字入力終了時刻に基づいて前記表示画面に前記手書き文字を表示する他端末文字表示部と、
を含む通信端末。
【請求項２】
請求項１に記載の通信端末であって、
前記アラートが、
前記他端末から受信した文字座標群と対応する前記表示画面上の座標群を含むように呈示される
通信端末。
【請求項３】
請求項１に記載の通信端末であって、
前記他端末から受信した文字座標群が、前記表示画面の外に位置する場合に、
前記アラートは、
前記他端末から受信した文字座標群が前記表示画面からみて何れの方角に存在するかを呈示する方角呈示を含む
通信端末。
【請求項４】
請求項１に記載の通信端末であって、
前記アラートが、
音声を含む
通信端末。
【請求項５】
請求項３に記載の通信端末であって、
前記アラートが音声を含み、前記方角呈示が音声による
通信端末。
【請求項６】
所定の書き込み領域に手書き文字入力が検出された場合に、当該文字入力が検出された書込み領域上の座標群である文字座標群を取得する文字座標群取得ステップと、
自端末で取得された文字座標群に基づいて表示画面に手書き文字を表示する自端末文字表示ステップと、
前記自端末で取得された文字座標群を前記他端末に送信する第１のデータ送受信ステップと、
前記他端末で取得された文字座標群を前記他端末から受信する第２のデータ送受信ステップと、
前記他端末から受信した文字座標群に基づいて前記表示画面にアラートを呈示する第１のアラート呈示ステップと、
手書き文字入力の中断時間の長さに基づいて文字入力終了時刻を検知する文字入力終了時刻検知ステップと、
前記自端末で取得された文字座標群に対応する文字入力終了時刻を前記他端末に送信する第３のデータ送受信ステップと、
前記他端末で取得された文字座標群に対応する文字入力終了時刻を前記他端末から受信する第４のデータ送受信ステップと、
前記他端末から受信した文字入力終了時刻に基づいて前記アラートを消去する第２のアラート呈示ステップと、
前記他端末から受信した文字座標群と、当該文字座標群に対応する文字入力終了時刻に基づいて前記表示画面に前記手書き文字を表示する他端末文字表示ステップと、
を含む文字表示方法。
【請求項７】
コンピュータを請求項１から５の何れかに記載の通信端末として機能させるためのプログラム。
【発明の詳細な説明】
【技術分野】
【０００１】
本発明は、入力された文字を表示する通信端末、文字表示方法、プログラムに関する。
【背景技術】
【０００２】
聴覚に障害を持つ人は、日本国内に数百万人規模で存在するといわれている。聴覚障害者が便利に使用できるコミュニケーションツールとして、仮想ホワイトボード共有アプリケーションが開発されている（非特許文献１）。非特許文献１のアプリケーション「ＦｌｏｃｋＤｒａｗ」を使用すれば、オンライン上の仮想ホワイトボードに描いた絵や文字などをリアルタイムで複数の人と共有でき、共同作業やコミュニケーションを行うことができる。
【先行技術文献】
【非特許文献】
【０００３】
【非特許文献１】Lisa Hoover（翻訳：的野裕子）、”ほぼリアルタイムで共有できるオンライン上のホワイトボード「FlockDraw」”、[online]、平成２１年１２月３日、lifehacker、[平成２５年６月２５日検索]、インターネット<URL:http://www.lifehacker.jp/2009/12/flockdraw.html>
【発明の概要】
【発明が解決しようとする課題】
【０００４】
非特許文献１のようなオンライン上の仮想ホワイトボードを複数人のユーザがリアルタイムで利用する場合、同一の領域に同時刻に複数のユーザが書き込みを行ってしまう「重ね書き」が発生してしまう。各ユーザは他のユーザが何れの領域に次の書き込みを実行するか分からないため、自分が書き込みを行った領域に、偶然に他のユーザが同時刻に書き込みを実行してしまうことがある。重ね書きされた文字は判読しにくくユーザの利便性が低下する。
【０００５】
また、非特許文献１のようなオンライン上の仮想ホワイトボードは、ユーザが使用する端末の画面サイズに制約をうける。例えば表示画面の小さい端末の場合、仮想ホワイトボードを縮小して表示すると、解像度が低くなってしまい文字がつぶれて判読不能となる場合がある。文字が判読不能となることを防止するためには、仮想ホワイトボードのサイズ縮小を行わないようにするか、もしくは文字が判読不能とならない程度にサイズ縮小すればよい。この場合、表示画面の小さい端末では仮想ホワイトボードの全体が表示画面内に収まらないことがある。このような場合には、表示画面内に仮想ホワイトボードの一部分のみを表示し、非表示の部分を表示するためには、仮想ホワイトボードを上下左右にスクロールする仕様とすればよい。しかしながら、表示画面の小さい端末において仮想ホワイトボードの一部分のみを表示することとすると、他のユーザの書き込みが表示画面の外で実行されている場合にユーザが気が付かない場合がある。これによりユーザの利便性が低下する。
【０００６】
そこで、本発明では他端末の文字入力をユーザに気付かせることができる通信端末を提供することを目的とする。
【課題を解決するための手段】
【０００７】
本発明の通信端末は、文字座標群取得部と、自端末文字表示部と、データ送受信部と、アラート呈示部と、文字入力終了時刻検知部と、他端末文字表示部とを含む。
【０００８】
文字座標群取得部は、所定の書き込み領域に手書き文字入力が検出された場合に、当該文字入力が検出された書込み領域上の座標群である文字座標群を取得する。自端末文字表示部は、自端末で取得された文字座標群に基づいて表示画面に手書き文字を表示する。データ送受信部は、自端末で取得された文字座標群と当該文字座標群に対応する文字入力終了時刻とを他端末に送信し、他端末で取得された文字座標群と当該文字座標群に対応する文字入力終了時刻とを他端末から受信する。アラート呈示部は、他端末から受信した文字座標群に基づいて表示画面にアラートを呈示し、他端末から受信した文字入力終了時刻に基づいてアラートを消去する。文字入力終了時刻検知部は、手書き文字入力の中断時間の長さに基づいて文字入力終了時刻を検知する。他端末文字表示部は、他端末から受信した文字座標群と、当該文字座標群に対応する文字入力終了時刻に基づいて表示画面に手書き文字を表示する。
【発明の効果】
【０００９】
本発明の通信端末によれば、他端末の文字入力をユーザに気付かせることができる。
【図面の簡単な説明】
【００１０】
【図１】本発明の実施例１の通信端末の構成を示すブロック図。
【図２】本発明の実施例１の通信端末の動作を示すフローチャート。
【図３】書込み領域への手書き文字とアラートの呈示例（その１）を示す図。
【図４】書込み領域への手書き文字とアラートの呈示例（その２）を示す図。
【図５】書込み領域への手書き文字とアラートの呈示例（その３）を示す図。
【図６】書込み領域への手書き文字とアラートの呈示例（その４）を示す図。
【図７】他端末の文字座標群が画面外にある場合のアラート呈示例を示す図。
【図８】アラートの呈示例を示す図。
【発明を実施するための形態】
【００１１】
以下、本発明の実施の形態について、詳細に説明する。なお、同じ機能を有する構成部には同じ番号を付し、重複説明を省略する。
【実施例１】
【００１２】
以下、図１、図２を参照して実施例１の通信端末１について説明する。図１は本実施例の通信端末１の構成を示すブロック図である。図２は本実施例の通信端末１の動作を示すフローチャートである。
【００１３】
本実施例では、通信端末１は２台あるものとし、それぞれを通信端末１Ａ、１Ｂと呼ぶ。通信端末１Ａ、１Ｂは何れも同じ機能を備えている。本実施例では、ユーザＡが通信端末１Ａを用いて手書き文字入力を実行し、ユーザＢが通信端末１Ｂを用いて手書き文字入力を実行するものとする。本実施例において、通信端末１Ａからみて自端末とは通信端末１Ａを意味し、他端末とは通信端末１Ｂを意味する。同様に、通信端末１Ｂからみて自端末とは通信端末１Ｂを意味し、他端末とは通信端末１Ａを意味する。なお、後述する書込み領域１１１は、通信端末１Ａ、１Ｂの何れかが記憶、管理することとしてもよいし、図示しないサーバにより管理されていてもよい。サーバが介在する場合には、通信端末１Ａ、１Ｂのデータ送受信部１４はサーバと通信を実行する。
【００１４】
なお、本実施例では、分かりやすさのため通信端末を２台としたが、これに限定されず、通信端末の台数は何台であってもよい。例えば通信端末が５台（１Ａ、１Ｂ、１Ｃ、１Ｄ、１Ｅ）存在し、５人のユーザ（ユーザＡ、Ｂ、Ｃ、Ｄ、Ｅ）がこれらの通信端末を利用して手書き文字入力を実行してもよい。この場合、例えば通信端末１Ａからみて自端末とは通信端末１Ａを意味し、他端末とは通信端末１Ｂ、１Ｃ、１Ｄ、１Ｅを意味する。
【００１５】
図１に示すように、本実施例の通信端末１（１Ａ、１Ｂ）は、表示画面１１と、文字座標群取得部１２と、自端末文字表示部１３と、データ送受信部１４と、アラート呈示部１５と、文字入力終了時刻検知部１６と、他端末文字表示部１７とを含む。
【００１６】
文字座標群取得部１２は、表示画面１１に表示された所定の書き込み領域１１１に、所定のユーザ操作による手書き文字入力が検出された場合に、当該文字入力が検出された書込み領域１１１上の座標群である文字座標群を取得する（Ｓ１２）。自端末文字表示部１３は、自端末で取得された文字座標群に基づいて表示画面１１の書き込み領域１１１の所定の領域に手書き文字を表示する（Ｓ１３）。例えば自端末文字表示部１３は、自端末で取得された文字座標群と対応する表示画面１１上の座標を全て黒色（Ｒ，Ｇ，Ｂ）＝（０，０，０）とし、その他の表示画面１１上の座標を白色（Ｒ，Ｇ，Ｂ）＝（２５５，２５５，２５５）として手書き文字を表示する。
【００１７】
データ送受信部１４は、自端末で取得された文字座標群を他端末に送信する（Ｓ１４Ａ）。データ送受信部１４は、他端末で取得された文字座標群を他端末から受信する（Ｓ１４Ｂ）。アラート呈示部１５は、他端末から受信した文字座標群に基づいて表示画面１１の書き込み領域１１１の所定の領域にアラートを呈示する（１５Ａ）。アラートは、例えば文字、図形、記号、もしくはこれらの組み合わせ、又はこれらと音声の組み合わせである。呈示されるアラートの詳細については後述する。アラートは、他端末から受信した文字座標群と対応する表示画面１１上の座標群を含むように呈示されれば、自端末のユーザに他端末の書き込み位置を正確に通知できるため、好適である。アラートは、他端末から受信した文字座標群と対応する表示画面１１上の座標群を覆うように呈示されれば更に好適である。
【００１８】
文字入力終了時刻検知部１６は、手書き文字入力の中断時間の長さに基づいて文字入力終了時刻を検知する（Ｓ１６）。例えば、文字入力終了時刻検知部１６は、ユーザの文字入力が中断する度に、その中断時間を計測し、計測された中断時間が所定の閾値を超える場合には、その計測開始時刻を文字入力終了時刻とし、計測された中断時間が所定の閾値以下となる場合には、その計測開始時刻を文字入力終了時刻としない。
【００１９】
データ送受信部１４は、自端末で取得された文字座標群に対応する文字入力終了時刻を他端末に送信する（Ｓ１４Ｃ）。データ送受信部１４は、他端末で取得された文字座標群に対応する文字入力終了時刻を他端末から受信する（Ｓ１４Ｄ）。データ送受信部１４は、自端末、他端末で取得された一連の文字座標群と、この文字座標群の入力が終了した時刻を意味する文字入力終了時刻とを対応させて送信、受信するものとする。
【００２０】
アラート呈示部１５は、他端末から受信した文字入力終了時刻に基づいてアラートを消去する（Ｓ１５Ｂ）。より詳細には、アラート呈示部１５は、他端末から文字入力終了時刻を受信した場合に、当該文字入力終了時刻と対応付けられた文字座標群に基づいて呈示されているアラートを消去する。他端末文字表示部１７は、他端末から受信した文字座標群と、当該文字座標群に対応する文字入力終了時刻に基づいて表示画面に手書き文字を表示する（Ｓ１７）。より詳細には、他端末文字表示部１７は、他端末から文字入力終了時刻を受信した場合に、当該文字入力終了時刻と対応する文字座標群に基づいて、表示画面１１の書き込み領域１１１の所定の領域に手書き文字を表示する。例えば他端末文字表示部１７は、他端末から受信した文字入力終了時刻と対応する文字座標群と対応する表示画面１１上の座標を全て黒色（Ｒ，Ｇ，Ｂ）＝（０，０，０）とし、その他の表示画面１１上の座標を白色（Ｒ，Ｇ，Ｂ）＝（２５５，２５５，２５５）として手書き文字を表示する。
【００２１】
以下、図３、図４、図５、図６、図７を参照して、本実施例の通信端末１Ａ、１Ｂの動作を具体例を用いて説明する。図３、４、５、６は書込み領域への手書き文字とアラートの呈示例（その１、２、３、４）を示す図である。図７は、他端末の文字座標群が画面外にある場合のアラート呈示例を示す図である。
【００２２】
以下の説明では、通信端末１Ａの表示画面１１上に表示される書込み領域に符号１１１Ａを付し、通信端末１Ｂの表示画面１１上に表示される書込み領域に符号１１１Ｂを付す。また、ユーザＡの操作による手書き文字には符号１３Ａ−（番号）を付し、ユーザＢの操作による手書き文字には符号１３Ｂ−（番号）を付す。また、通信端末１Ａが送信した文字座標群に基づき、通信端末１Ｂ上で呈示されるアラートに符号１５Ａ−（番号）を付し、通信端末１Ｂが送信した文字座標群に基づき、通信端末１Ａ上で呈示されるアラートに符号１５Ｂ−（番号）を付す。
【００２３】
まず図３に示すように、通信端末１Ｂの表示画面１１に表示される書込み領域１１１Ｂには、ユーザＡの操作による手書き文字１３Ａ−１、ユーザＢの操作による手書き文字１３Ｂ−１が表示されているものとする。ここで、通信端末１Ａが送信した文字座標群に基づき、書込み領域１１１Ｂには、アラート１５Ａ−１が呈示されているものとする。この例では、アラートは文字書き込み時に発生する音の擬音語である「カリカリ」という音を漫画的に表現したテキストで呈示している。このとき通信端末１Ａの表示画面１１に表示される書込み領域１１１Ａには、図４に示すように、手書き文字１３Ａ−１、手書き文字１３Ｂ−１に加え、前述のアラート１５Ａ−１に重なる位置に、手書き文字１３Ａ−２が表示されている。
【００２４】
通信端末１Ｂのアラート呈示部１５は、通信端末１Ａから文字座標群（手書き文字１３Ａ−２と対応）と対応付けられた文字入力終了時刻を受信した場合に、当該文字入力終了時刻と対応付けられた文字座標群（手書き文字１３Ａ−２と対応）に基づいて呈示されたアラート１５Ａ−１を消去する。次に、通信端末１Ｂの他端末文字表示部１７は、当該文字入力終了時刻と対応する文字座標群（手書き文字１３Ａ−２と対応）に基づいて、書き込み領域１１１Ｂの所定の領域に手書き文字１３Ａ−２を表示する。このようにして、書込み領域１１１Ｂにも、書込み領域１１１Ａと同様の手書き文字１３Ａ−２「オッケー」が表示される。
【００２５】
次に図５に示すように、通信端末１Ｂの文字座標群取得部１２は、書き込み領域１１１Ｂに、手書き文字１３Ｂ−２の入力が検出された場合に、当該文字入力が検出された書込み領域１１１上の座標群である文字座標群（手書き文字１３Ｂ−２と対応）を取得する。通信端末１Ｂのデータ送受信部１４は、自端末で取得された文字座標群（手書き文字１３Ｂ−２と対応）を通信端末１Ａに送信する。通信端末１Ａのデータ送受信部１４は、通信端末１Ｂで取得された文字座標群（手書き文字１３Ｂ−２と対応）を通信端末１Ｂから受信する。通信端末１Ａのアラート呈示部１５は、通信端末１Ｂから受信した文字座標群（手書き文字１３Ｂ−２と対応）に基づいて書き込み領域１１１Ａの所定の領域にアラート１５Ｂ−１を呈示する（図４参照）。
【００２６】
通信端末１Ａのアラート呈示部１５は、通信端末１Ｂから文字座標群（手書き文字１３Ｂ−２と対応）と対応付けられた文字入力終了時刻を受信した場合に、当該文字入力終了時刻と対応付けられた文字座標群（手書き文字１３Ｂ−２と対応）に基づいて呈示されたアラート１５Ｂ−１を消去する。次に、通信端末１Ａの他端末文字表示部１７は、当該文字入力終了時刻と対応する文字座標群（手書き文字１３Ｂ−２と対応）に基づいて、書き込み領域１１１Ａの所定の領域に手書き文字１３Ｂ−２を表示する。このようにして、書込み領域１１１Ａにも、書込み領域１１１Ｂと同様の手書き文字１３Ｂ−２「山田も来れるんだっけ？」が表示される。
【００２７】
図５の例では、ユーザＡの手書き文字入力の結果として、さらに通信端末１Ｂに表示される書込み領域１１１Ｂにアラート１５Ａ−２が呈示される。ここで、図５の例と同じアラートを書込み領域１１１Ｂに呈示しようとする場合であって、図６に示すように、書込み領域１１１Ｂの一部である領域１１１Ｂ−１が表示画面１１内に位置し、書込み領域１１１Ｂの一部である領域１１１Ｂ−２（図中破線で表示）が表示画面１１の外に位置している場合について考える。図６において、アラート１５Ａ−２を書込み領域１１１Ｂ内の図５と同じ位置に呈示すると、アラート１５Ａ−２は、表示画面の外に呈示されることとなるため、ユーザＢから見えない位置に呈示される。そこで図６の例のように、他端末から受信した文字座標群が表示画面の外に位置する場合に、アラートを表示画面内に呈示し、他端末から受信した文字座標群が表示画面からみて何れの方角に存在するかを呈示する方角呈示を含むようすれば好適である。具体的には、図６の例のように、通信端末１Ａから受信した文字座標群が通信端末１Ｂの表示画面１１の外に位置する場合に、対応するアラート１５Ａ−３を表示画面内である領域１１１Ｂ−１内に呈示し、通信端末１Ａから受信した文字座標群が表示画面１１からみて下側に存在することを呈示する方角呈示（下向き矢印）を含むようにすれば好適である。図７に示すように、例えば文字座標群が表示画面１１からみて右側に存在することを呈示する場合には右向き矢印を含むアラート１５Ａ−４、上側に存在することを呈示する場合には上向き矢印を含むアラート１５Ａ−５、左側に存在することを呈示する場合には左向き矢印を含むアラート１５Ａ−６などを呈示することができる。
【００２８】
より好適には、文字座標群が表示画面１１からみて下側に存在する場合には、アラート１５Ａ−３は領域１１１Ｂ−１の下端に呈示することとし、同様に、文字座標群が表示画面１１からみて右、上、左側に存在する場合には、アラート１５Ａ−４、５、６は領域１１１Ｂ−１の右、上、左端にそれぞれ呈示すればよい。これにより、他のユーザの書き込みが表示画面の外で実行されている場合に、その方角を含むアラートをユーザに呈示することができるため、ユーザの利便性が高まる。
【００２９】
以下、図８を参照して、アラートの呈示例について説明する。図８はアラートの呈示例を示す図である。図８に示すように、例えばアラートは、文字書き込み時に発生する音のオノマトペを漫画的に表現した文字で構成されるアラート１５Ａ−７のような形態であってもよい。また、前述のオノマトペの漫画的表現に漫画的なフキダシを組み合わせたアラート１５Ａ−８のような形態であってもよい。また、前述の漫画的なフキダシに文字「カキコミ中」を組み合わせたアラート１５Ａ−９のような形態であってもよい。また、枠の中に「他のユーザが書き込んでいます」とメッセージを表示したアラート１５Ａ−１０のような形態であってもよい。また、前述したようにこれらの視覚的に呈示されるアラートと音声とを組み合わせてもよい。音声として例えば文字を書き込むときに発生する音、典型的には黒板にチョークで文字を書くときの音、ノートにボールペンで文字を書くときの音などを用いることができる。図７で例示したアラート１５Ａ−３、４、５、６のように、アラートに方角呈示を含む場合には、矢印の代わりに音声を用いてもよい。この場合は、通信端末１が複数のスピーカを備えることを前提として、表示画面外の文字座標群の方角から音声が到来するような聴覚効果を実現できるように、スピーカ出力音声を調整して呈示することにより、音声により方角呈示を行ってもよい。このようにアラートやその方角呈示に音声を含むことにより、ユーザが表示画面を見ていない場合であっても、他ユーザが書込みをしていることを通知することができるため、ユーザの利便性が高まる。
【００３０】
なお、アラートの形態は、図７、図８に例示したものに限られず、前述したように、文字、図形、記号、もしくはこれらの組み合わせ、又はこれらと音声の組み合わせの何れかとすることでき、本明細書の図面に記載された内容に限定されない。
【００３１】
上述の各種の処理は、記載に従って時系列に実行されるのみならず、処理を実行する装置の処理能力あるいは必要に応じて並列的にあるいは個別に実行されてもよい。その他、本発明の趣旨を逸脱しない範囲で適宜変更が可能であることはいうまでもない。
【００３２】
また、上述の構成をコンピュータによって実現する場合、各装置が有すべき機能の処理内容はプログラムによって記述される。そして、このプログラムをコンピュータで実行することにより、上記処理機能がコンピュータ上で実現される。
【００３３】
この処理内容を記述したプログラムは、コンピュータで読み取り可能な記録媒体に記録しておくことができる。コンピュータで読み取り可能な記録媒体としては、例えば、磁気記録装置、光ディスク、光磁気記録媒体、半導体メモリ等どのようなものでもよい。
【００３４】
また、このプログラムの流通は、例えば、そのプログラムを記録したＤＶＤ、ＣＤ−ＲＯＭ等の可搬型記録媒体を販売、譲渡、貸与等することによって行う。さらに、このプログラムをサーバコンピュータの記憶装置に格納しておき、ネットワークを介して、サーバコンピュータから他のコンピュータにそのプログラムを転送することにより、このプログラムを流通させる構成としてもよい。
【００３５】
このようなプログラムを実行するコンピュータは、例えば、まず、可搬型記録媒体に記録されたプログラムもしくはサーバコンピュータから転送されたプログラムを、一旦、自己の記憶装置に格納する。そして、処理の実行時、このコンピュータは、自己の記録媒体に格納されたプログラムを読み取り、読み取ったプログラムに従った処理を実行する。また、このプログラムの別の実行形態として、コンピュータが可搬型記録媒体から直接プログラムを読み取り、そのプログラムに従った処理を実行することとしてもよく、さらに、このコンピュータにサーバコンピュータからプログラムが転送されるたびに、逐次、受け取ったプログラムに従った処理を実行することとしてもよい。また、サーバコンピュータから、このコンピュータへのプログラムの転送は行わず、その実行指示と結果取得のみによって処理機能を実現する、いわゆるＡＳＰ（Application Service Provider）型のサービスによって、上述の処理を実行する構成としてもよい。
【００３６】
なお、本形態におけるプログラムには、電子計算機による処理の用に供する情報であってプログラムに準ずるもの（コンピュータに対する直接の指令ではないがコンピュータの処理を規定する性質を有するデータ等）を含むものとする。また、この形態では、コンピュータ上で所定のプログラムを実行させることにより、本装置を構成することとしたが、これらの処理内容の少なくとも一部をハードウェア的に実現することとしてもよい。
【図１】
2015026098.tif 000003
【図２】
2015026098.tif 000004
【図３】
2015026098.tif 000005
【図４】
2015026098.tif 000006
【図５】
2015026098.tif 000007
【図６】
2015026098.tif 000008
【図７】
2015026098.tif 000009
【図８】
2015026098.tif 000010